(57)【要約】【課題】作業効率の向上した組版装置等を提供する。【解決手段】複数のオブジェクト（４１、４２）を有する小組のテンプレート４０であって、各オブジェクトの組み合わせに応じたテンプレートの型を設定し（Ｓ１）、テンプレートの型に基づいた複数の小組５０、５５を設定するために、各小組の各オブジェクトのサイズ情報を設定し（Ｓ５）、各小組における各オブジェクト間の位置関係情報を設定し（Ｓ６）、各オブジェクトのサイズ情報と、位置関係情報とに応じて、各小組の配置を決定する（Ｓ８）。【選択図】図２
2014041482.tif 000002
【特許請求の範囲】
【請求項１】
複数のオブジェクトを有する小組のテンプレートであって、前記各オブジェクトの組み合わせに応じたテンプレートの型を設定するテンプレート型設定手段と、
前記テンプレートの型に基づいた複数の前記小組を設定するために、前記各小組の前記各オブジェクトのサイズ情報を設定するオブジェクトサイズ情報設定手段と、
前記各小組における前記各オブジェクト間の位置関係情報を設定する位置関係情報設定手段と、
前記各オブジェクトのサイズ情報と、前記位置関係情報とに応じて、前記各小組の配置を決定する配置決定手段と、
を備えることを特徴とする組版装置。
【請求項２】
請求項１に記載の組版装置において、
前記テンプレート型設定手段が、前記オブジェクトの数、および、前記各オブジェクトの種類を設定することを特徴とする組版装置。
【請求項３】
請求項１または請求項２に記載の組版装置において、
前記位置関係情報設定手段が、前記小組内における前記各オブジェクトの位置情報により、前記位置関係情報を設定することを特徴とする組版装置。
【請求項４】
組版装置が組版を行う組版方法において、
複数のオブジェクトを有する小組のテンプレートであって、前記各オブジェクトの組み合わせに応じたテンプレートの型を設定するテンプレート型設定ステップと、
前記テンプレートの型に基づいた複数の前記小組を設定するために、前記各小組の前記各オブジェクトのサイズ情報を設定するオブジェクトサイズ情報設定ステップと、
前記各小組における前記各オブジェクト間の位置関係情報を設定する位置関係情報設定ステップと、
前記各オブジェクトのサイズ情報と、前記位置関係情報とに応じて、前記各小組の配置を決定する配置決定ステップと、
を有することを特徴とする組版方法。
【請求項５】
コンピュータを、
複数のオブジェクトを有する小組のテンプレートであって、前記各オブジェクトの組み合わせに応じたテンプレートの型を設定するテンプレート型設定手段、
前記テンプレートの型に基づいた複数の前記小組を設定するために、前記各小組の前記各オブジェクトのサイズ情報を設定するオブジェクトサイズ情報設定手段、
前記各小組における前記各オブジェクト間の位置関係情報を設定する位置関係情報設定手段、および、
前記各オブジェクトのサイズ情報と、前記位置関係情報とに応じて、前記各小組の配置を決定する配置決定手段として機能させることを特徴とする組版装置用プログラム。
【発明の詳細な説明】
【技術分野】
【０００１】
本発明は、小組を対象ページに配置する組版装置、組版方法、および、組版装置用プログラムに関する。
【背景技術】
【０００２】
ＤＴＰ（Desk Top Publishing）において、ちらしやカタログ等の印刷物における小組の配置を自動的に決める際、組版装置が使用されている。例えば、特許文献１には、レイアウト対象ページ内に、画像部品ブロックの配置を禁止する禁止領域を設定し、画像部品ブロック同士の配置間隔を示す情報等のレイアウト情報を作成し、禁止領域を避けた位置に、レイアウト情報に基づき、複数の画像部品ブロックの位置を決定するレイアウト処理方法が開示されている。
【先行技術文献】
【特許文献】
【０００３】
【特許文献１】特開２０００−４８２１６号公報
【発明の概要】
【発明が解決しようとする課題】
【０００４】
しかしながら、特許文献１では、画像部品ブロックのテンプレートとして使用されるマスタ部品を、画像要素等のオブジェクトの配置に応じて複数パターン作成する必要があった。そのため、作業効率の向上を十分に上げることができなかった。
【０００５】
そこで、本発明は上記の問題点等に鑑みて為されたもので、その課題の一例は、作業効率の向上した組版装置等を提供することを目的とする。
【課題を解決するための手段】
【０００６】
上記の課題を解決するために、請求項１に記載の発明は、複数のオブジェクトを有する小組のテンプレートであって、前記各オブジェクトの組み合わせに応じたテンプレートの型を設定するテンプレート型設定手段と、前記テンプレートの型に基づいた複数の前記小組を設定するために、前記各小組の前記各オブジェクトのサイズ情報を設定するオブジェクトサイズ情報設定手段と、前記各小組における前記各オブジェクト間の位置関係情報を設定する位置関係情報設定手段と、前記各オブジェクトのサイズ情報と、前記位置関係情報とに応じて、前記各小組の配置を決定する配置決定手段と、を備えることを特徴とする。
【０００７】
また、請求項２に記載の発明は、請求項１に記載の組版装置において、前記テンプレート型設定手段が、前記オブジェクトの数、および、前記各オブジェクトの種類を設定することを特徴とする。
【０００８】
また、請求項３に記載の発明は、請求項１または請求項２に記載の組版装置において、前記位置関係情報設定手段が、前記小組内における前記各オブジェクトの位置情報により、前記位置関係情報を設定することを特徴とする。
【０００９】
また、請求項４に記載の発明は、組版装置が組版を行う組版方法において、複数のオブジェクトを有する小組のテンプレートであって、前記各オブジェクトの組み合わせに応じたテンプレートの型を設定するテンプレート型設定ステップと、前記テンプレートの型に基づいた複数の前記小組を設定するために、前記各小組の前記各オブジェクトのサイズ情報を設定するオブジェクトサイズ情報設定ステップと、前記各小組における前記各オブジェクト間の位置関係情報を設定する位置関係情報設定ステップと、前記各オブジェクトのサイズ情報と、前記位置関係情報とに応じて、前記各小組の配置を決定する配置決定ステップと、を有することを特徴とする。
【００１０】
また、請求項５に記載の発明は、コンピュータを、複数のオブジェクトを有する小組のテンプレートであって、前記各オブジェクトの組み合わせに応じたテンプレートの型を設定するテンプレート型設定手段、前記テンプレートの型に基づいた複数の前記小組を設定するために、前記各小組の前記各オブジェクトのサイズ情報を設定するオブジェクトサイズ情報設定手段、前記各小組における前記各オブジェクト間の位置関係情報を設定する位置関係情報設定手段、および、前記各オブジェクトのサイズ情報と、前記位置関係情報とに応じて、前記各小組の配置を決定する配置決定手段として機能させることを特徴とする。
【発明の効果】
【００１１】
本発明によれば、各オブジェクトの種類の組み合わせに応じたテンプレートの型に小組をまとめることができ、個々具体的なオブジェクトの配置に応じた複数パターンの小組を作成する必要がないので、作業効率が向上する。
【図面の簡単な説明】
【００１２】
【図１】本発明の実施形態に係る組版装置の概要構成の一例を示すブロック図である。
【図２】図１の組版装置の動作例を示すフローチャートである。
【図３】小組テンプレートの型の設定の画面の一例を示す模式図である。
【図４】小組テンプレートの型の設定におけるタグの選択の一例を示す模式図である。
【図５】設定された小組テンプレートの一例を示す模式図である。
【図６】設定された小組テンプレートの表示イメージの一例を示す模式図である。
【図７】設定された小組テンプレートの一例を示す模式図である。
【図８】設定された小組テンプレートの一例を示す模式図である。
【図９】小組の設定の画面の一例を示す模式図である。
【図１０】設定された小組データの一例を示す模式図である。
【図１１】小組の表示イメージの一例を示す模式図である。
【図１２】小組の表示イメージの一例を示す模式図である。
【図１３】小組が台紙に配置された表示イメージの一例を示す模式図である。
【図１４】図２のレイアウト処理のサブルーチンを示すフローチャートである。
【発明を実施するための形態】
【００１３】
以下、図面を参照して本発明の実施形態について説明する。なお、以下に説明する実施の形態は、組版装置に対して本発明を適用した場合の実施形態である。
【００１４】
［１．組版装置の構成および機能概要］
まず、本発明の１実施形態に係る組版装置の構成および概要機能について、図１を用いて説明する。
図１は、組版装置の概要構成の一例を示すブロック図である。
【００１５】
図１に示すように、組版装置１０は、例えば、パーソナルコンピュータ等であり、通信部１１と、記憶部１２と、表示部１３と、操作部１４と、入出力インターフェース部１５と、システム制御部１６とを備えている。そして、システム制御部１６と入出力インターフェース部１５とは、システムバス１７を介して接続されている。
【００１６】
通信部１１は、ネットワークを介して他のサーバとのデータの送受信を行う。
【００１７】
記憶部１２は、例えば、ハードディスクドライブ等からなり、オペレーティングシステム、自動組版用のプログラム、画像データ等を記憶する。なお、組版装置１０から取り外し可能なＵＳＢメモリ等の外部記憶部が、各種のデータを記憶しておいてもよい。
【００１８】
表示部１３は、例えば、液晶表示素子または有機ＥＬ素子等によって構成されている。表示部１３には、小組テンプレートの設定画面や、オブジェクトの設定画面や、組版の結果等が表示される。ここで、小組（部品ブロック、コマ）とは、台紙において、レイアウト処理において、レイアウトされる基本の単位である。また、小組テンプレートとは、小組内におけるオブジェクトの組み合わせ方を決めたテンプレートである。なお、１つのオブジェクトを有する小組の場合、オブジェクトの種類が決められたテンプレートである。
【００１９】
操作部１４は、例えば、キーボードおよびマウス等によって構成されている。
【００２０】
入出力インターフェース部１５は、通信部１１および記憶部１２とシステム制御部１６とのインターフェースである。
【００２１】
システム制御部１６は、例えば、ＣＰＵ１６ａと、ＲＯＭ１６ｂと、ＲＡＭ１６ｃとを有する。システム制御部１６は、ＣＰＵ１６ａが、ＲＯＭ１６ｂや、ＲＡＭ１６ｃや、記憶部１２に記憶された各種プログラムを読み出して実行する。なお、これらのプログラムを記憶した記録媒体等からシステム制御部１６が読み出し実行してもよい。
【００２２】
［２．組版装置の動作］
次に、本発明の１実施形態に係る組版装置の動作について図２から図１４を用いて説明する。
【００２３】
図２は、組版装置１０の動作例を示すフローチャートである。図３は、小組テンプレートの型の設定の画面の一例を示す模式図である。図４は、小組テンプレートの型の設定におけるタグの選択の一例を示す模式図である。図５、図７、および、図８は、設定された小組テンプレートの一例を示す模式図である。図６、図１１、および、図１２は、設定された小組テンプレートの表示イメージの一例を示す模式図である。図９は、小組の設定の画面の一例を示す模式図である。図１０は、小組の一例を示す模式図である。図１３は、小組が台紙に配置された表示イメージの一例を示す模式図である。図１４は、レイアウト処理のサブルーチンを示すフローチャートである。
【００２４】
（２．１  小組テンプレート設定等の組版装置の動作）
図２に示すように、組版装置１０は、小組テンプレートの型を設定する（ステップＳ１）。具体的には、組版装置１０のシステム制御部１６は、操作部１４を介したユーザの指示により、小組テンプレートの型等を設定するアプリケーションのプログラムを記憶部１２から読み出し、アプリケーションを起動する。アプリケーションが起動すると、例えば、図３に示すように、表示部１３に小組テンプレートの型の設定画面２０が開かれる。
【００２５】
図３に示すように、設定画面２０は、各オブジェクトの種類を設定するボタン２１と、オブジェクトのサイズを示すためのタグを設定するボタン２２と、オブジェクト間の位置関係を示すためのタグを設定するボタン２３と、オブジェクトを追加するためのボタン２４と、を有する。
【００２６】
例えば、第１オブジェクトを設定するために、ユーザがボタン２１をポインタ１４ａで選択してクリックすると、システム制御部１６は、図４に示すように、タグの選択画面３０を表示部１３に表示する。例えば、”商品名”、”画像”、”説明”等のオブジェクトの種類を示すタグの中から、ユーザは選択する。システム制御部１６は、図３に示すように、ユーザにより選択されたタグの名称を、ボタン２１上に表示する。
【００２７】
ボタン２３をポインタ１４ａで選択してクリックすると、システム制御部１６は、図４に示すように、タグの選択画面３０を表示部１３に表示する。例えば、オブジェクトの種類が”商品名”ならば、オブジェクトのＸ座標のタグ”txt_X”、オブジェクトのＹ座標のタグ”txt_Y”を、ユーザは選択する。システム制御部１６は、図３に示すように、ユーザにより選択されたタグの名称を、ボタン２３上に表示する。
【００２８】
ボタン２２をポインタ１４ａで選択してクリックすると、システム制御部１６は、図４に示すように、タグの選択画面３０を表示部１３に表示する。例えば、オブジェクトの種類が”商品名”ならば、オブジェクトの横幅のタグ”txt_W”、オブジェクトの高さのタグ”txt_H”のタグを、ユーザは選択する。システム制御部１６は、図３に示すように、ユーザにより選択されたタグの名称を、ボタン２２上に表示する。
【００２９】
なお、ボタン２１がクリックされて、オブジェクトの種類が決まった時点で、システム制御部１６は、オブジェクトの種類に対応するオブジェクトの横幅、オブジェクトの高さ、オブジェクトのＸ座標、オブジェクトのＹ座標タグを設定し、ボタン２２、ボタン２３の表示を決めてもよい。
【００３０】
次に、第２オブジェクトを設定する場合、ユーザは、第２オブジェクトの種類のボタン２１をクリックする。その後に、第１オブジェクトと同様に、オブジェクトの種類に対応する横幅、高さ、Ｘ座標、Ｙ座標のタグも設定されていく。
【００３１】
さらに、第４オブジェクトのように、オブジェクトを追加したい場合、ユーザがオブジェクト追加のボタン２４をクリックする。システム制御部１６は、第４オブジェクトに関するボタン２１、２２、２３を、設定画面２０に追加する。
【００３２】
確定のボタンがクリックされた後、システム制御部１６は、小組テンプレートの型の設定を終了する。
【００３３】
次に、システム制御部１６は、図５に示すようなデータ構造を、記憶部１２に設定する。
【００３４】
ここで、図５に示すようなデータ構造は、小組内にオブジェクトが２つの例であり、テキストオブジェクトと画像オブジェクトとの組み合わせの例である。各オブジェクトに対して、オブジェクト間の位置関係を示すためのオブジェクトの位置のフィールド、オブジェクトのサイズのフィールドを有する。なお、キータグは、小組を区別するためのタグである。
【００３５】
設定された小組テンプレートの型を模式的に示すと、図６に示すように、小組テンプレート４０は、画像オブジェクトに対応する画像フレーム４１と、テキストオブジェクトに対応するテキストフレーム４２と、を有する。なお、座標（img_X, img_Y）、座標（txt_X, txt_Y）は、小組テンプレート４０の基準点（0,0）に対する各オブジェクトの位置情報であるが、オブジェクト間の相対的な位置関係情報を示している。
【００３６】
また、小組テンプレート内のオブジェクトが３つの場合、図７に示すようなデータ構造になる。”商品名”および”説明”のテキストオブジェクトが２つと、”画像”の画像オブジェクトが１つの組み合わせの小組テンプレートで、オブジェクト数が合計３つである。また、小組テンプレート内のオブジェクトが１つの場合、図８に示すようなデータ構造になる。
【００３７】
なお、各オブジェクトの種類の組み合わせとして、同種のオブジェクトの組み合わせでもよい。例えば、２つのテキストオブジェクトの組み合わせ、２つの画像オブジェクトの組み合わせでもよい。
【００３８】
このように、組版装置１０は、複数のオブジェクトを有する小組のテンプレートであって、各オブジェクトの組み合わせに応じたテンプレートの型を設定するテンプレート型設定手段の一例として機能する。また、組版装置１０は、オブジェクトの数、および、各オブジェクトの種類を設定するテンプレート型設定手段の一例として機能する。
【００３９】
次に、組版装置１０は、小組テンプレートの型を選択する（ステップＳ２）。組版装置１０のシステム制御部１６は、小組テンプレートの型の選択を、操作部１４を介してユーザから受け付ける。ユーザは、小組データを設定するために、ステップＳ１で設定した、図５、図７、図８に示すようなデータ構造の小組テンプレートの型から、小組テンプレートの型を選択する。小組テンプレートの型が選択されると、システム制御部１６は、図９に示すように、小組データ設定の画面２５を表示部１３に表示する。
【００４０】
次に、組版装置１０は、キータグを設定する（ステップＳ３）。ユーザが入力したキータグの番号を、操作部１４を介して、組版装置１０のシステム制御部１６は取得し、キータグを設定する。図１０に示すように、システム制御部１６は、データ構造のキータグのフィールドに、取得したキータグのデータを記憶する。
【００４１】
次に、組版装置１０は、各オブジェクト内容を設定する（ステップＳ４）。組版装置１０は、オブジェクト内容として、具体的な商品名や画像ファイルを設定する。例えば、ユーザが、ボタン２６をクリックし、ボタン２６の”商品名”の所に、”りんご”のテキストデータを入力する。また、システム制御部１６は、”画像”のボタン２６がクリックされた場合、記憶部１２内の画像データのファイル名の一覧を表示し、画像をユーザに選択させる。図１０に示すように、システム制御部１６は、データ構造の”商品名”のフィールドに、入力されたテキストデータを記憶し、データ構造の”画像”のフィールドに、選択された画像データのファイルの記憶場所またはファイル名を記憶する。
【００４２】
次に、組版装置１０は、小組の各オブジェクトのサイズを設定する（ステップＳ５）。ユーザが、ボタン２７をクリックし、ボタン２７の”txt_W”および”txt_H”の所に、第１オブジェクトのサイズに関連する数字を入力する。ユーザがボタン２７をクリックし、ボタン２７の”img_W”および”img_H”の所に、第２オブジェクトのサイズに関連する数字を入力する。図１０に示すように、システム制御部１６は、データ構造の所定のフィールドに、入力されたオブジェクトのサイズデータを記憶する。
【００４３】
このように、組版装置１０は、テンプレートの型に基づいた複数の小組を設定するために、各小組の前記各オブジェクトのサイズ情報を設定するオブジェクトサイズ情報設定手段の一例として機能する。
【００４４】
次に、組版装置１０は、オブジェクト間の位置関係を設定する（ステップＳ６）。ユーザが、ボタン２８をクリックし、ボタン２８の”txt_X”および”txt_Y”の所に、第１オブジェクトの位置に関連する数字を入力する。ボタン２８の”img_X”および”img_Y”の所に、第２オブジェクトの位置に関連する数字を入力する。図１０に示すように、システム制御部１６は、データ構造の所定のフィールドに、オブジェクト間の位置関係として、入力されたオブジェクトの位置データを記憶する。
【００４５】
図１０に示すように、各小組におけるオブジェクトの種類、オブジェクトのサイズ、オブジェクトの位置が設定されることにより、キータグに対応した各小組の小組データが設定される。
【００４６】
このように、組版装置１０は、テンプレートの型に基づいた複数の小組を設定するために、各小組における前記各オブジェクト間の位置関係情報を設定する位置関係情報設定手段の一例として機能する。また、組版装置１０は、小組内でおける各オブジェクトの位置情報により、位置関係情報を設定する位置関係情報設定手段の一例として機能する。
【００４７】
次に、組版装置１０は、設定が終了か否かを判定する（ステップＳ７）。”次の小組”ボタンがクリックされた場合、組版装置１０は、設定が終了していないとし（ステップＳ７；ＮＯ）、ステップＳ２の処理に戻り、次の小組を設定する。例えば、図１０に示すように、キータグ”２”に対して、システム制御部１６は、商品名”みかん”等を設定する。
【００４８】
キータグの設定、各オブジェクト内容の設定、各オブジェクトのサイズの設定、オブジェクト間の位置関係の設定により、小組データが設定される。設定された小組データの表示イメージは、商品名”りんご”の場合、図１１に示すように、画像フレーム５１とテキストフレーム５２とを有する小組５０となる。また、設定された小組データの表示イメージは、商品名”みかん”の場合、図１２に示すように、画像フレーム５６と、テキストフレーム５７とを有する小組５５となる。
【００４９】
このように、小組５０と小組５５とは、オブジェクトのサイズ、オブジェクト間の位置関係をパラメータとする１つの小組テンプレート４０により表現できる。
【００５０】
確定ボタンがクリックされた場合、組版装置１０は、設定が終了したとして（ステップＳ７；ＹＥＳ）、組版装置１０は、レイアウト処理を行う（ステップＳ８）。設定された各小組データ（各オブジェクトのサイズ情報や、オブジェクト間の位置関係情報）に基づき、組版装置１０のシステム制御部１６は、図１３に示すように、台紙Ｐ内における各小組５０、５５の配置を決定する。なお、レイアウト処理に関して、レイアウト処理のサブルーチンで詳細に説明する。このように、組版装置１０は、各オブジェクトのサイズ情報と、位置関係情報とに応じて、各小組の配置を決定する配置決定手段の一例として機能する。
【００５１】
（２．２  レイアウト処理のサブルーチン）
次に、レイアウト処理のサブルーチンについて、図１４を用いて説明する。
【００５２】
図１４に示すように、組版装置１０は、各小組データを読み込む（ステップＳ１０）。組版装置１０のシステム制御部１６は、記憶部１２において、図１０に示すような小組のデータベースから、キータグに従い、各小組データとして、各オブジェクトのサイズ情報、位置情報、テキスト情報、ファイル名等を読み込む。
【００５３】
次に、組版装置１０は、オブジェクト内容を読み込む（ステップＳ１１）。組版装置１０のシステム制御部１６は、画像オブジェクトの場合、小組データにおける、データ構造の”画像”のフィールドのファイル名に基づき、画像データをオブジェクト内容として記憶部１２から読み込む。
【００５４】
次に、組版装置１０は、台紙における小組の配置を計算する（ステップＳ１２）。システム制御部１６は小組５０の外枠（小組５０破線部分）のサイズ、小組５５の外枠（小組５５破線部分）のサイズの情報に基づき、既存の自動組版に関するアルゴリズムに従い、台紙Ｐにおける各小組５０、５５の配置を計算する。なお、システム制御部１６は、小組の外枠のサイズを、各オブジェクトのサイズおよび各オブジェクトの位置情報から算出する。
【００５５】
次に、組版装置１０は、各小組内で各オブジェクトを配置する（ステップＳ１３）。システム制御部１６は、小組の外枠内において、各オブジェクトの位置情報に基づき、各オブジェクトを配置する。
【００５６】
次に、組版装置１０は、台紙に各オブジェクトのデータを流し込む（ステップＳ１４）。図１３に示すように、システム制御部１６は、台紙Ｐにおいて、配置されている各オブジェクトに対して、テキストオブジェクトに対応したテキストデータや、画像オブジェクトに対応した画像データを、流し込む。
【００５７】
本実施形態によれば、複数のオブジェクト（画像フレーム４１、テキストフレーム４２）を有する小組のテンプレート４０であって、各オブジェクトの組み合わせに応じたテンプレートの型を設定し、テンプレートの型に基づいた複数の小組５０、５５を設定するために、各小組の各オブジェクトのサイズ情報を設定し、各小組における各オブジェクト間の位置関係情報を設定し、各オブジェクトのサイズ情報と、位置関係情報とに応じて、各小組の配置を決定することにより、各オブジェクトの種類の組み合わせに応じたテンプレートの型に小組をまとめることができ、個々具体的なオブジェクトの配置に応じた複数パターンの小組を作成する必要がないので、作業効率が向上する。
【００５８】
従来の自動組版システムでは、異なる大きさやレイアウトの個々のオブジェクトを配置する際には、複数のパターンの小組を作成する必要があった。また、タグ情報を設定したテキストデータ以外に、レイアウト情報を設定したデータを作成する必要もあった。しかし、本願の組版装置１０は、小組のテンプレートの型を設定した上で、小組の各オブジェクトの座標やサイズを設定するだけで、レイアウト処理の際、小組の各オブジェクトの座標やサイズに基づき、各小組の配置を決定し、各小組内のオブジェクトに対して、テキストデータや画像データを流し込むことにより、異なる大きさや異なるレイアウトのオブジェクトを配置することができる。
【００５９】
特に、小組の数が多く、作成パターンが多数ある場合、小組作成時間およびテキストデータの作成時間を考慮すると、本願の組版装置１０により、大幅に作業時間が削減して作業効率が向上する。
【００６０】
また、テンプレート型の設定において、オブジェクトの数、および、各オブジェクトの種類を設定する場合、オブジェクトの組み合わせに応じた設定がしやすくなり、作業効率が向上する。
【００６１】
また、位置関係情報設定において、小組内でおける各オブジェクトの位置情報により、位置関係情報を設定する場合、小組内における各オブジェクトの位置関係がイメージしやすく、設定が容易になる。
【符号の説明】
【００６２】
１０：組版装置
４０：小組テンプレート
４１：画像フレーム（オブジェクト）
４２：テキストフレーム（オブジェクト）
５０、５５：小組
Ｐ：台紙
【図１】
2014041482.tif 000003
【図２】
2014041482.tif 000004
【図５】
2014041482.tif 000005
【図６】
2014041482.tif 000006
【図７】
2014041482.tif 000007
【図８】
2014041482.tif 000008
【図１０】
2014041482.tif 000009
【図１１】
2014041482.tif 000010
【図１２】
2014041482.tif 000011
【図１３】
2014041482.tif 000012
【図１４】
2014041482.tif 000013
【図３】
2014041482.tif 000014
【図４】
2014041482.tif 000015
【図９】
2014041482.tif 000016